(57)【特許請求の範囲】
【請求項１】
装着時に装着者の腹側に配される腹側部、背側に配される背側部、前記腹側部及び前記背側部の間に配される股部を有し、前記腹側部と背側部との間を股部を介して結ぶ方向の縦方向とこれに直交する横方向とを備え、外装体と、該外装体の内側に固定された、吸収体とこれを被覆する被覆部材を含む吸収性本体とを具備し、該外装体における前記腹側部及び前記背側部に位置するそれぞれの両側縁部が接合されて、ウエスト開口部及び一対のレッグ開口部が形成されたパンツ型吸収性物品であって、
前記吸収性本体は、液透過性の表面シート、裏面シート、両シート間に介在する前記吸収体を備え、
前記被覆部材は、前記表面シート及び前記裏面シートを有し、
前記吸収体は、縦方向の前記背側部側の端部に、前記股部に向かって凸状に切り欠かれ、前記被覆部材の前記裏面シートを備えた背側切欠部を有しており、
前記外装体における前記背側部の外側表面には、前記横方向に関して、前記背側切欠部の背側ウエスト開口側両端部の間にファスニングテープが配され、
前記ファスニングテープは厚さ方向に関して、前記吸収体とは重ならないように、かつ、前記被覆部材の前記裏面シートと少なくとも一部重なるようにファスニングテープが配されたパンツ型吸収性物品。
【請求項２】
前記ファスニングテープは、前記縦方向に関して、その股部側端部を、前記背側切欠部の背側ウエスト開口側両端部を結ぶ仮想線上、または、該仮想線から内側に１０ｍｍと該仮想線から外側に１０ｍｍとの範囲内に位置するよう配されている、請求項1に記載のパンツ型吸収性物品。
【請求項３】
前記吸収体は、前記背側部側の両角部それぞれが円弧状に形成されている請求項１または２に記載のパンツ型吸収性物品。
【請求項４】
前記吸収体は、縦方向の前記腹側部側の端部に、前記股部に向かって凸状に切り欠かれた腹側切欠部を有し、且つ前記腹側部側の両角部それぞれが円弧状に形成されている請求項１〜３の何れか１項に記載のパンツ型吸収性物品。
【請求項５】
前記吸収体は、中央吸収部と、該中央吸収部の両側縁部に沿って対称的に配された一対のサイド吸収部とを有し、前記中央吸収部と一対の前記サイド吸収部それぞれとは、少なくとも前記股部において分離している請求項１〜４の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、背側部に使用後の廃棄形状を安定化させるためにファスニングテープを設けたものが知られている（例えば、特許文献１〜３）。
【０００３】
廃棄用テープファスナーの使用性改善を目的として幾つかの技術が提案されている。たとえば、特許文献４には、廃棄用テープファスナーがおむつ側部の伸縮域に設けられたパンツおむつが記載されている。また、特許文献５では、使用時において引っ張った際に破損し難いテープファスナー形状を提案している。更に、特許文献６では、おむつを簡単に丸めて廃棄し易いように、おむつ長手方向に対して斜めにテープファスナーを配したパンツおむつが開示されている。
【先行技術文献】
【特許文献】
【０００４】
【特許文献１】実開平６−７７７２２号公報
【特許文献２】特開平１１−４６９０４号公報
【特許文献３】特開平１１−３１３８５２号公報
【特許文献４】特開２００９−１１９０７８号公報
【特許文献５】特開２００７−２１５９４８号公報
【特許文献６】特開２００６−２３８９８９号公報
【発明の概要】
【発明が解決しようとする課題】
【０００５】
特許文献４乃至６開示の技術は、テープファスナー及びその配置方法を工夫することによって廃棄時の利便性を図るものである。そのために、テープファスナーを複数枚必要としたり、特殊な形状を採用したりしており、操作が複数回必要であったり、製造コストなどの点で必ずしも好ましいとは言えない場合もあった。
【０００６】
したがって、本発明の課題は、簡便な操作でおむつ内の排泄物を確実に収納でき、コンパクトな廃棄形状を作成し得るパンツ型吸収性物品を提供することにある。
【課題を解決するための手段】
【０００７】
本発明は、装着時に装着者の腹側に配される腹側部、背側に配される背側部、前記腹側部及び前記背側部の間に配される股部を有し、前記腹側部と背側部との間を股部を介して結ぶ方向の縦方向とこれに直交する横方向とを備え、外装体と、該外装体の内側に固定された、吸収体とこれを被覆する被覆部材を含む吸収性本体とを具備し、該外装体における前記腹側部及び前記背側部に位置するそれぞれの両側縁部が接合されて、ウエスト開口部及び一対のレッグ開口部が形成されたパンツ型吸収性物品であって、前記吸収体は、縦方向の前記背側部側の端部に、前記股部に向かって凸状に切り欠かれ、前記被覆部材を備えた背側切欠部を有しており、前記外装体における前記背側部の外側表面には、前記横方向に関して、前記背側切欠部の背側ウエスト開口側両端部の間にファスニングテープが配され、前記ファスニングテープは厚さ方向に関して、前記吸収体とは重ならないように、かつ、前記被覆部材と重なるようにファスニングテープが配されたパンツ型吸収性物を提供するものである。
【発明の効果】
【０００８】
本発明のパンツ型吸収性物品によれば、簡便な操作によって使用後のおむつを、排泄物が確実におむつ内に納まると共にコンパクトな廃棄形状とすることができる。
【図面の簡単な説明】
【０００９】
【図１】図１は、本発明の一実施形態であるパンツ型使い捨ておむつの斜視図である。
【図２】図２は、図１に示すパンツ型使い捨ておむつを伸長させて拡げた状態を表面シート側から見た平面図である。
【図３】図２の背側ウエスト付近を拡大した図面である。
【図４】図３のファスニングテープの配置部分における縦方向断面図であり、図１のＹ１−Ｙ１線断面図である。
【図５】図５は、図１に示すパンツ型使い捨ておむつの廃棄形状の例を示す斜視図である。
【図６】第２の実施形態における図４相当の図面である。
【発明を実施するための形態】
【００１０】
以下、本発明のパンツ型吸収性物品を、その好ましい実施形態に基づき、図１〜図５を参照しながら説明する。
【００１１】
本実施形態のパンツ型使い捨ておむつ１（以下、「おむつ１」ともいう。）は、図１，図２に示すように、外装体２と、外装体２の内側に固定された吸収性本体３とを具備している。吸収性本体３は、吸収体３１と吸収体３１を被覆する被覆部材６とを含んでいる。おむつ１は、図１，図２に示すように、装着時に装着者の腹側に配される腹側部Ａ、装着時に装着者の背側に配される背側部Ｂ、腹側部Ａ及び背側部Ｂの間に配される股部Ｃを有し、外装体２における腹側部Ａに位置する両側縁部２ｄ，２ｄと外装体２における背側部Ｂに位置する両側縁部２ｅ，２ｅとが接合されて、ウエスト開口部ＷＯ及び一対のレッグ開口部ＬＯ，ＬＯが形成されている。以下、おむつ１について、詳述する。
【００１２】
おむつ１は、図１〜図３に示すように、中心線ＣＬに対して左右対称に形成されている。従って以下の説明では、左右対称な部分については、主に、右側について説明する。
また、本明細書において、「肌当接面側」とは、吸収性本体３などの各部材の表裏両面のうち、着用時に着用者の肌側に配される面側であり、「非肌当接面側」とは、吸収性本体などの各部材の表裏両面のうち、着用時に着用者の肌側とは反対側に向けられる面側である。
【００１３】
おむつ１は、図１〜図３に示すように、腹側部Ａと背側部Ｂの間を股部Ｃを介して結ぶ方向の縦方向（以下「Ｙ方向」ともいう。Ｙ方向：中心線ＣＬに平行な方向をいう。）と、縦方向（Ｙ方向）に直交する横方向（以下「Ｘ方向」ともいう。）とを備えている。おむつ１の備える外装体２は、図１に示すように、おむつ１の外観を構成しており、図２に示すように、伸長状態において、おむつ１の縦方向（Ｙ方向）に対して順に、腹側部Ａ、股部Ｃ、背側部Ｂを有している。腹側部Ａ、背側部Ｂ及び股部Ｃは、図２に示す展開状態のおむつ１において、その縦方向（Ｙ方向）の全長を略３等分に区分したときの各領域である。
【００１４】
外装体２は、図２に示すように、縦方向（Ｙ方向）中央部の両側部において内方に括れている。本実施形態のおむつ１においては、外装体２の腹側部Ａ側の両側縁部２ｄ，２ｄの内面と外装体２の背側部Ｂ側の両側縁部２ｅ，２ｅの内面同士を互いに重ね合わせ、合掌状に固定することにより、図１に示すように、一対のサイドシール部５，５が形成されるとともに、ウエスト開口部ＷＯ及び一対のレッグ開口部ＬＯ，ＬＯが形成されている。
【００１５】
おむつ１は、図２に示すように、外装体２における腹側部Ａ及び背側部Ｂそれぞれに、横方向（Ｘ方向）に伸長した複数本の弾性部材４を有している。詳述すると、本実施形態のおむつ１の有する弾性部材４は、複数本のウエスト弾性部材４１、複数本の胴回り弾性部材４２及び複数本のレッグ弾性部材４３からなる。外装体２は、本実施形態においては、図２に示すように、非肌当接面側にパンツ型使い捨ておむつ１の最外表面となる外層シート２１と、外層シート２１の内面側（肌当接面側）に配され、ホットメルト等の接着剤やヒートシール等の融着により固定される内層シート２２とから形成されている。なお、外層シート２１と内層シート２２とは、全面で固定される必要はなく、たとえば、腹側部Ａ及び／又は背側部Ｂにおける着用者胴回りに位置する部分においては、サイド接合部を除いて固定されていなくても良い。本実施形態の外層シート２１は、内層シート２２の縦方向（Ｙ方向）の両外方縁よりそれぞれ延出しており、延出した部分が吸収性本体３側に折り返され、折り返された外層シート２１が、吸収性本体３の縦方向（Ｙ方向）の両外方縁部上を被覆している。外装体２を構成する外層シート２１及び内層シート２２の間に、図１，図２に示すように、弾性部材４であるウエスト弾性部材４１、胴回り弾性部材４２及びレッグ弾性部材４３が配されていることにより、おむつ１の外装体２には、ウエスト弾性領域（ウエストギャザー）、胴回り弾性領域（胴回りギャザー）及び環状の一対のレッグ弾性領域（レッグギャザー）が形成されている。
【００１６】
ウエスト弾性領域（ウエストギャザー）は、図１，図２に示すように、腹側部Ａ及び背側部Ｂそれぞれにおいて、横方向（Ｘ方向）に伸長した状態で、複数本のウエスト弾性部材４１を、ウエスト開口部ＷＯの開口縁から股部Ｃに向かって４０ｍｍまでの領域に間欠的に配し、外装体２の外層シート２１及び／又は内層シート２２に固定することにより形成されている。胴回り弾性領域（胴回りギャザー）も同様に、図１，図２に示すように、腹側部Ａ及び背側部Ｂそれぞれにおいて、横方向（Ｘ方向）に伸長した状態で、複数本の胴回り弾性部材４２を、ウエスト弾性部材４１より股部Ｃ寄り（内側）に間欠的に配し、外装体２の外層シート２１と内層シート２２の間に、より詳細には、内層シート２２と外層シートの折返し部分の間に固定することにより形成されている。この形態に代えて、外層シート２１の外面側（折返し部分ではない部分）と内層シート２２の間に胴回り弾性部材４２を設けても良い。レッグ弾性領域（レッグギャザー）は、図１，図２に示すように、腹側部Ａ及び背側部Ｂそれぞれにおいて、外装体２の括れに沿って伸長した状態で、複数本のレッグ弾性部材４３を、互いに間隔を空けて配し、外装体２の外層シート２１又は内層シート２２に固定することにより形成されている。
【００１７】
また、少なくとも背側部Ｂにおいては、吸収性本体３の縦方向（Ｙ方向）外方縁と吸収体３１の縦方向（Ｙ方向）外方縁との間隔Ｌ（図２参照）の５０％以上の領域に、弾性部材４（本実施形態においては胴回り弾性部材４２）が配されていないことが柔軟な非肌面側への突出形状が形成され易くなるので好ましく、間隔Ｌの領域には、弾性部材４（本実施形態においては胴回り弾性部材４２）が配されていないことが更に好ましい。言い換えれば、本実施形態のおむつ１においては、複数本の胴回り弾性部材４２が、間隔Ｌの５０％以上の領域を除いて、該領域より縦方向（Ｙ方向）外方の領域及び内方の領域に、間欠的に配されていることが好ましい。
【００１８】
また、後述するように、吸収体３１を構成する中央コア３１１が、背側切欠部３１３のみならず腹側切欠部３１４も有する場合には、腹側部Ａにおいても、背側部Ｂと同様に、吸収性本体３の縦方向（Ｙ方向）外方縁と吸収体３１の縦方向（Ｙ方向）外方縁との間隔Ｌ（図２参照）の５０％以上の領域に、弾性部材４（本実施形態においては胴回り弾性部材４２）が配されていないことが好ましく、間隔Ｌの領域には、弾性部材４（本実施形態においては胴回り弾性部材４２）が配されていないことが更に好ましい。
【００１９】
外装体２の内側に固定された吸収性本体３は、図２に示すように、実質的に縦長の長方形状であり、液透過性の表面シート３２、液不透過性（撥水性も含む）の裏面シート３３、両シート３２，３３間に介在する吸収体３１を備えている。また、吸収性本体３は、図２に示すように、吸収性本体３の縦方向（Ｙ方向）の両側部３ｄ，３ｄに、液抵抗性又は撥水性で且つ通気性の素材から構成された側方カフス３４，３４を備えている。各側方カフス３４の自由端部近傍には、図２に示すように、立体ギャザー形成用弾性部材３５が縦方向（Ｙ方向）に伸長した状態で配されている。側方カフス３４は、おむつの着用時に自由端部側が起立し、所謂立体ギャザーとなり横方向（Ｘ方向）への体液の流出が阻止される。
【００２０】
吸収性本体３の備える吸収体３１は、図２，図３に示すように、中央吸収部としての中央吸収体３１１と、中央吸収体３１１の両側縁部３１１ｄ，３１１ｄに沿って対称的に配された一対のサイド吸収部としてのサイド吸収体３１２，３１２とを有し、中央吸収体３１１と一対のサイド吸収体３１２，３１２それぞれとは、少なくとも股部Ｃにおいて分離している。中央吸収体３１１は、図２，図３に示すように、縦方向（Ｙ方向）の背側部Ｂ側の端部３１１ｂに、背側部Ｂから股部Ｃに向かって凸状に切り欠かれた背側切欠部３１３を有している。吸収体３１は、図２に示すように、中央吸収体３１１と、一対のサイド吸収体３１２，３１２と、ティッシュペーパーや透水性の不織布からなる透水性の被覆シート３８１とを有し、中央吸収体３１１及び一対のサイド吸収体３１２，３１２の全体が、透水性の被覆シート３８１で被覆されている。
【００２１】
中央吸収体３１１は、図２に示すように、吸収性本体３の縦方向（Ｙ方向）両外方縁それぞれから間隔Ｌ（図２参照）を空けて、吸収性本体３の縦方向（Ｙ方向）に、腹側部Ａから背側部Ｂに亘って配されている。各間隔Ｌは、１〜３００ｍｍであることが好ましく、１０〜２６０ｍｍであることが好適な非肌面側への隆起形状を形成しやすくなるので更に好ましい。中央吸収体３１１は、図２に示すように、背側部Ｂ側の端部３１１ｂに背側切欠部３１３を有しており、本実施形態においては、図３に示すように、背側部側の両角部３１１ｅ，３１１ｅそれぞれが円弧状に形成されている。
【００２２】
背側切欠部３１３は、本実施形態においては、図２，図３に示すように、中央吸収体３１１の背側部Ｂ側の端部３１１ｂの横方向（Ｘ方向）中央部を、ウエスト開口部寄りから股部Ｃに向かって窄んだ形状（略三角形状）に切り欠いて形成されている。従って、中央吸収体３１１は、本実施形態においては、図２，図３に示すように、背側部Ｂ側において、Ｙ字状に形成されている。切り欠かれた部分の面積は、５００〜３１００ｍｍ2であることが好ましく、１０００〜２６００ｍｍ2であることが更に好ましい。尚、背側切欠部３１３の形状は、三角形状でなくても、このような面積を有するように切り欠かれていれば半円形状、半楕円形状、四角形状、多角形状等であってもよい。
【００２３】
外層シート２１の背側部Ｂにおける外側面には、使用後に丸めたおむつの形状を固定するおむつ廃棄用のファスニングテープ８が設けられている。ファスニングテープ８は、図４に示すように、細帯状のテープをその長手方向に３つ折りに折り畳んだＺ型形態に形成されている。Ｚ型形態のファスニングテープ８は、使用前においてはＺ型形 態を維持し、使用に際しては、引き出して、外装体２の外層シート２１に止着しておむつ１の巻き上げた廃棄形状を維持するように、Ｚ型形態のテープ同士の対向面には粘着材が塗布されている。Ｚ型形態のファスニングテープ８は、図３に示すように、横方向（Ｘ方向）に関して、背側切欠部３１３のウエスト開口部ＷＯ寄りの左右両端部の間に位置するように配されている。また、Ｚ型形態のファスニングテープ８は、図４に示すように、吸収体３１とは厚さ方向において重ならないように配置されている。また、ファスニングテープ８は、図４に示すように、吸収性本体３を構成している被覆部材６とは厚さ方向において重なるように配されている。被覆部材６とは、吸収体３１の少なくとも一部を覆うように 配された、吸収性本体３を構成するシートであり、本実施形態では、透水性の被覆シート３８１、表面シート３２及び裏面シート３３がこれに該当する。
【００２４】
このような構成を採用することによって、使用後のおむつ廃棄時に、簡便な操作によって確実に、しかもコンパクトな廃棄形状（図５参照）を形成することが容易になる。そのメカニズムを説明する。使用後のおむつを股部Ｃ側からウエスト開口部ＷＯ側に向けて丸め、Ｚ型形態に折り畳まれたファスニングテープ８を背側ウエスト開口部側に引張ることによって廃棄形状を固定する。この際に、背側切欠部３１３の存在によって、吸収体存在部よりも剛性の低い領域が引張り易くなっており、弱い力でもファスニングテープ８をウエスト開口部ＷＯを越えるようにすることが容易となる。しかも、背側切欠部３１３の左右両側に存在する吸収体４の縦方向（Ｙ方向）端部がおむつ横方向（Ｘ方向）中央側に引き寄せられるので、コンパクトな形状となるとともに、背側部Ｂのウエスト開口部ＷＯに向かっておむつ横方向（Ｘ方向）中央部に吸収体４による蓋がされるので、おむつ１内部の排泄物が外部に漏れでにくくなる。この形状でおむつを固定すると、おむつの1箇所に設けられたファスニングテープ８による固定でも、廃棄形状から開放しようとする力がおむつ１の斜め方向に働くので、従来の固定方向と正反対の方向へ開放しようとする力が働いた場合と比べて形状が安定に保てる、という効果もある。
【００２５】
ファスニングテープ８は背側切欠部３１３の内側（背側切欠部３１３における、その左右両端部を結ぶ仮想線ＩＬ、具体的には、図３に示すように、背側切欠部３１３の左右両端部それぞれの外方端どうしを結ぶ仮想線ＩＬよりも縦方向（Ｙ方向）の股部Ｃ側の領域）に位置してもよいし、仮想線ＩＬよりも外側に位置していても良い。しかしながら、廃棄形状の安定性や、コンパクトな形状の容易な実現の視点からは、背側切欠部３１３の深く内部まで配置しないことが好ましく、ファスニングテープ８は、その股部Ｃ側端部が、縦方向（Ｙ方向）に関して、仮想線ＩＬ上または仮想線ＩＬの近傍に位置するよう配されていることが好ましい。背側切欠部３１３の形状にもよるが、一般的には、背側切欠部３１３の左右両端部を結ぶ仮想線ＩＬから内側に１０ｍｍ以内にファスニングテープ８の股部Ｃ側末端が位置することが好ましい。また、弱い力でコンパクトな廃棄形状を作りやすくする観点からは、ファスニングテープ８の股部Ｃ側端部の位置が仮想線から外側（ウエスト開口部ＷＯ側の領域）に１０ｍｍ以内であることが好ましい。
【００２６】
ファスニングテープ８と外層シート２１はホットメルト等の公知の接合手段によって接合されていれば良い。両者が接合されている部分においては、外層シート２１と被覆シート６とが、少なくとも一部において直接あるいは内層シート２２を介して間接的に接合されていることが好ましい。そのようにすることによって、被覆シート６が吸収体３１の左右両側を横方向中央側へ引き寄せやすくなる。接合パターンとしては、当該接合部位における風合いや透湿性等を勘案して、部分的な接着であることが好ましい。詳述すると、おむつ１においては、図３，図４に示すように、外層シート２１と内層シート２２との間に、外層シート２１と内層シート２２とを単に接合するホットメルトとは別に、Ｚ型形態のファスニングテープ８のＹ方向の両端部それぞれに、Ｘ方向に延びる補強ホットメルト２３，２３が塗布されている。補強ホットメルト２３は、図４に示すように、厚み方向に関しては、ファスニングテープ８のＹ方向の端部と少なくとも一部が重なっていることが好ましい。補強ホットメルト２３は、図３に示すように、Ｘ方向に関しては、ファスニングテープ８の幅よりもＸ方向に長く、背側切欠部３１３の間に、延在していることが好ましい。補強ホットメルト２３，２３を配することにより、上記効果と共に、おむつ１を廃棄形状に固定する際に、ファスニングテープ８の浮き上がりを防止することもできる。
【００２７】
上述したように、中央吸収体３１１は、本実施形態においては、図３に示すように、背側部Ｂ側の両角部３１１ｅ，３１１ｅそれぞれが横方向（Ｘ方向）外方に向かって円弧状に形成されている。こうすることで、吸収体４の縦方向（Ｙ方向）端部がおむつ横方向（Ｘ方向）中央側に更に引き寄せられ易く、更にコンパクトな形状となり易いとともに、着用時には着用者肌への当たり方が柔らかくなるので、好ましい。各角部３１１ｅの曲率半径は、３〜２０ｍｍであることが好ましく、５〜１５ｍｍであることが更に好ましい。
【００２８】
また、本実施形態においては、中央吸収体３１１は、図２に示すように、縦方向（Ｙ方向）の腹側部Ａ側の端部３１１ａにも、股部Ｃに向かって凸状に切り欠かれた腹側切欠部３１４を有している。これによって、廃棄形状をよりコンパクトにすることが容易となるので好ましい。このような観点から、特に、ファスニングテープ８の使用に際しては、Ｚ型形態に折り畳まれた形状から引張って長くなったファスニングテープ８が、背側切欠部３１３の頂部（股部Ｃ側の頂部）と腹側切欠部３１４の頂部（股部Ｃ側の頂部）とを結ぶ線上で固定されることが好ましく、背側切欠部３１３の凸状の頂部と腹側切欠部３１４の凸状の頂部とが中心線ＣＬ上に形成されていることが好ましい。また、本実施形態においては、図２に示すように、中央吸収体３１１の腹側部Ａ側の両角部も、円弧状に形成されている。背側部Ｂにおいて円弧状にしたのと同様の観点から好ましい。
【００２９】
腹側切欠部３１４は、本実施形態においては、図２に示すように、背側切欠部３１３と同様に、中央吸収体３１１の腹側部Ａ側の端部３１１ａの横方向（Ｘ方向）中央部を、股部Ｃに向かって三角形状に切り欠いて形成されている。従って、中央吸収体３１１は、本実施形態においては、図２に示すように、腹側部Ａ側においても、Ｙ字状に形成されている。切り欠かれた部分の面積は、５００〜３１００ｍｍ2であることが好ましく、１０００〜２２００ｍｍ2であることが更に好ましい。防漏性の観点から、腹側部分の吸収材は多いほうが良く、特に男性の座位姿勢の場合は、前モレ頻度が高いため、腹側切欠部３１４の面積の方が背側切欠部３１３の面積より小さいことが好ましい。
尚、腹側切欠部３１４の形状は、背側切欠部３１３と同様に、三角形状でなくても、このような面積を有するように切り欠かれていれば半円形状、半楕円形状、四角形状、多角形状等であってもよい。また、本実施形態では各切欠部３１３，３１４には完全に吸収体３１が存在しないものである。
【００３０】
上述したように、中央吸収体３１１は、本実施形態においては、図２に示すように、腹側部Ａ側の両角部も、背側部Ｂ側の角部３１１ｅと同様に、それぞれが横方向（Ｘ方向）外方に向かって円弧状に形成されており、各角部の曲率半径は、３〜２０ｍｍであることが好ましく、５〜１５ｍｍであることが更に好ましい。
【００３１】
本実施形態においては、一対のサイド吸収体３１２，３１２が、中央吸収体３１１と少なくとも股部Ｃにおいて分離するように設けられている。本実施形態においては、図２に示すように、中央吸収体と、背側部Ｂ側から腹側部Ａ側に亘って分離している。詳述すると、各サイド吸収体３１２は、股部Ｃのみならず、その縦方向（Ｙ方向）の背側部Ｂ側の端部３１２ｂにおいても、腹側部Ａ側の端部３１２ａにおいても中央吸収体３１１と連設されておらず、中央吸収体３１１と独立して配されている。このサイド吸収体３１２、３１２は着用時においては着用者股部において着用者側に立ち上がり、フィット性を高めると共に脚周りからの排泄物漏れを抑制するのに有用である。一方で、廃棄形状を形成するときには、股部の両側部が立ち上り易く、股部Ｃ側からウエスト側に丸めた形状が更に両側部から丸まって、内部の排泄物を外部へ漏らしにくい構造となり易い。特に、排便があって、サイドシール部５を切り離すようにしておむつ１を着用者から脱がせた場合には、サイド吸収体３１１は便を覆うのに有用である。
【００３２】
各サイド吸収体３１２の縦方向（Ｙ方向）の長さは、中央吸収体３１１の縦方向（Ｙ方向）の長さの２０％〜９５％好ましくは６０％〜８０％であることが好ましい。尚、各サイド吸収体３１２及び中央吸収体３１１の縦方向（Ｙ方向）の長さは、縦方向（Ｙ方向）に最も長い位置での長さである。
また、各サイド吸収体３１２と中央吸収体３１１とは、５〜４０ｍｍの間隔を空けて配されていることが好ましく、１０〜３０ｍｍの間隔を空けて配されていることが防漏性の観点から更に好ましい。尚、各サイド吸収体３１２と中央吸収体３１１との間隔は、最も狭い位置での長さである。
【００３３】
吸収性本体３は、中央吸収体３１１及び一対のサイド吸収体３１２，３１２を被覆シート３８１で被覆して形成される吸収体３１を挟持するように、表面シート３２と裏面シート３３とがホットメルト等の接着手段等により固定されて形成されており、一対のサイド吸収体３１２，３１２と中央吸収体３１１との分離している部分や、背側切欠部３１３においては、被覆シート３８１を介して表面シート３２及び裏面シート３３が固定されて形成されている。尚、本実施形態においては、中央吸収体３１１が腹側切欠部３１４も有しているため、腹側切欠部３１４においても、被覆シート３８１を介して表面シート３２及び裏面シート３３が固定されて形成されている。
【００３４】
吸収性本体３は、外装体２の内側に固定されており、本実施形態においては、縦方向（Ｙ方向）の背側部Ｂ側の端部３ｂ及び腹側部Ａ側の端部３ａそれぞれにおいて、横方向（Ｘ方向）の全面に亘って外装体２と固定されている。詳述すると、吸収性本体３は、外装体２の横方向（Ｘ方向）中央部において、中心線ＣＬに沿って、吸収性本体３の裏面シート３３の非肌当接面及び外装体２の内層シート２２の肌当接面が、ホットメルト等の接着手段等により固定されている。ここで、横方向（Ｘ方向）中央部とは図２に示す股部Ｃにおける中央吸収体３１２に相対する領域である。この際に、該領域全面を上記接着手段等で固定してもよいし、横方向（Ｘ方向）に間欠とした複数のストライプ状に固定してもよい。一方、サイド吸収体３１２に相対する領域は外装体２と固定されていないことが、廃棄形状を形成するときに股部Ｃの両側部が立ち上がりやすく、内部の排泄物を外部に漏らしにくい構造となり易いために好ましい。
また、縦方向（Ｙ方向）の背側部Ｂ側の端部３ｂ及び腹側部Ａ側の端部３ａそれぞれにおいては、横方向（Ｘ方向）の全面に亘って、吸収性本体３の裏面シート３３の非肌当接面及び外装体２の内層シート２２の肌当接面が、ホットメルト等の接着手段等により固定されている。従って、Ｉ字状あるいはＩＩ字状等に塗布されたホットメルト等の接着手段等により、吸収性本体３は外装体２の内側に固定されている。
【００３５】
吸収性本体３の背側部Ｂ側の端部３ｂにおいて、横方向（Ｘ方向）の全面に亘って外装体２と固定されている吸収性本体３の縦方向（Ｙ方向）の領域は、吸収性本体３の縦方向（Ｙ方向）外方縁から中央吸収体３１１の背側切欠部３１３の頂部（股部Ｃ側の頂部）までの領域であることが好ましい。また、本実施形態のように、中央吸収体３１１が腹側切欠部３１４も有する場合には、吸収性本体３の腹側部Ａ側の端部３ａにおいても、横方向（Ｘ方向）の全面に亘って外装体２と固定されている吸収性本体３の縦方向（Ｙ方向）の領域は、吸収性本体３の縦方向（Ｙ方向）外方縁から中央吸収体３１１の腹側切欠部３１４の頂部（股部Ｃ側の頂部）までの領域であることが好ましい。
【００３６】
本実施形態のパンツ型使い捨ておむつ１の形成材料について説明する。
外装体２を構成する外層シート２１と内層シート２２としては、通常、使い捨ておむつ等の吸収性物品に用いられるものであれば、特に制限なく用いることができる。例えば、外層シート２１及び内層シート２２としては、撥水性の不織布等を用いることができる。
【００３７】
吸収性本体３を構成する表面シート３２、裏面シート３３、吸収体３１及び側方カフス３４を形成するシートとしては、それぞれ、通常、使い捨ておむつ等の吸収性物品に用いられるものであれば、特に制限なく用いることができる。例えば、表面シート３２としては、親水性且つ液透過性の不織布等を用いることができ、裏面シート３３としては、液不透過性又は撥水性の樹脂フィルムや樹脂フィルムと不織布の積層体等を用いることができる。側方カフス３４を形成するシートとしては、伸縮性のフィルム、不織布、織物またはそれらの積層シート等を用いることができる。吸収体３１の有する中央吸収体３１１及び一対のサイド吸収体３１２，３１２としては、吸収性ポリマーの粒子及び繊維材料から構成された吸収コア等を用いることができる。また、被覆シート３８１としては、通常、使い捨ておむつ等の吸収性物品に用いられるものであれば、特に制限なく用いることができ、例えば、ティッシュペーパーを用いることができる。
【００３８】
ウエスト弾性領域（ウエストギャザー）を形成するウエスト弾性部材４１、胴回り弾性領域（胴回りギャザー）を形成する胴回り弾性部材４２、レッグ弾性領域（レッグギャザー）を形成するレッグ弾性部材４３、及び側方カフス３４に配される立体ギャザー形成用弾性部材３５としては、それぞれ、通常、使い捨ておむつ等の吸収性物品に用いられるものであれば、特に制限なく用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３９】
サイドシール部５の接合には、通常、使い捨ておむつ等の吸収性物品に用いられる接着剤や、ヒートエンボス、超音波エンボス、高周波エンボス等の融着手段が用いられる。吸収性本体３と外装体２との固定や、表面シート３２、裏面シート３３、側方カフス３５の固定も同様に、通常、使い捨ておむつ等の吸収性物品に用いられるホットメルト等の接着剤やヒートエンボス、超音波エンボス、高周波エンボス等の融着手段が用いられる。
【００４０】
本発明のパンツ型吸収性物品であるパンツ型使い捨ておむつは、上述の実施形態のパンツ型使い捨ておむつに何ら制限されるものではなく、適宜変更可能である。
【００４１】
例えば、上述の実施形態のパンツ型使い捨ておむつ１においては、図２に示すように、各サイド吸収体３１２を設けていたが、これを配さなくても良い。また、サイド吸収体３１２の変形例としては、背側部Ｂ側の端部３１２ｂ及び腹側部Ａ側の端部３１２ａのいずれか一方が中央吸収体３１１と連設されていてもよく、背側部Ｂ側の端部３１２ｂ及び腹側部Ａ側の端部３１２ａのいずれも中央吸収体３１１と連設されていてもよい。例えば、吸収体３１における各サイド吸収体３１２として、背側部Ｂ側の端部３１２ｂが中央吸収体３１１と連設され、腹側部Ａ側の端部３１２ａが中央吸収体３１１と連設されず、開放されていても良い。また、吸収体３１における各サイド吸収体３１２として、背側部Ｂ側の端部３１２ｂが中央吸収体３１１と連設され、腹側部Ａ側の端部３１２ａも中央吸収体３１１と連設されている形態でも良い。
【００４２】
また、上述の実施形態のパンツ型使い捨ておむつ１においては、図２，図４に示すように、外層シート２１が、内層シート２２の縦方向（Ｙ方向）の両外方縁よりそれぞれ延出しており、延出した部分が吸収性本体３側に折り返され、折り返された外層シート２１が、吸収性本体３の縦方向（Ｙ方向）の両外方縁部上を被覆しているが、折り返された外層シート２１の代わりに、図６に示すように、吸収性本体３の縦方向（Ｙ方向）の両外方縁部上まで被覆する別シート２４を配してもよい。別シート２４としては、外層シート２１と同様に、撥水性の不織布等を用いることができる。このように別シート２４を配し、内層シート２２と外層シート２１の折返し部を重ね合わせない構成とすることで、ウエスト弾性領域及び胴回り弾性領域の剛性を維持しながら、両者の境界で易屈曲部が形成されるため、廃棄形状を形成するときにウエスト弾性領域が折れ曲がりやすく、内部の排泄物をより外部に漏らし難い構造となる効果を奏する。
【００４３】
また、パンツ型吸収性物品は、幼児又は成人用のパンツ型使い捨ておむつの他、パンツ型の生理用ナプキン等であってもよい。
【符号の説明】
【００４４】
１  パンツ型使い捨ておむつ
２  外装体
２ｄ  腹側部Ａ側の側縁部
２ｅ  背側部Ｂ側の側縁部
２１  外層シート
２２  内層シート
２３  補強ホットメルト
２４  別シート
３  吸収性本体
３ｄ  縦方向（Ｙ方向）の側部
３１  吸収体
３１１  中央吸収体
３１１ａ  腹側部Ａ側の端部
３１１ｂ  背側部Ｂ側の端部
３１１ｄ  側縁部
３１１ｅ  背側部Ｂ側の角部
３１２  サイド吸収体
３１３  背側切欠部
３１４  腹側切欠部
３８１  被覆シート
３２  表面シート
３３  裏面シート
３４  側方カフス
３５  立体ギャザー形成用弾性部材
４  弾性部材
４１  ウエスト弾性部材
４２  胴回り弾性部材
４３  レッグ弾性部材
５  サイドシール部
６  被覆部材
８  廃棄用ファスニングテープ
Ａ  腹側部，Ｂ  背側部，Ｃ  股部
ＣＬ  おむつの縦方向に延びる中心線
【図１】
0005789407.tif 000002
【図２】
0005789407.tif 000003
【図３】
0005789407.tif 000004
【図４】
0005789407.tif 000005
【図５】
0005789407.tif 000006
【図６】
0005789407.tif 000007